(57)【要約】【課題】隣の建物と接近して建築される建物の基礎工事の場合であっても、作業者の負担を軽減することが可能な型枠ユニットを提供する。【解決手段】型枠ユニット１は、コンクリートを打設して建物の基礎を形成するために用いられる。型枠ユニット１は、それぞれ隣り合うように配置され、水平方向において互いに当接している第１型枠１０ａ及び第２型枠１０ｂと、第１型枠１０ａに対して第２型枠側１０ｂとは反対側の位置に配置され、水平方向において第１型枠１０ａに当接している第３型枠１０ｃとを備えている。第１型枠１０ａにおいて第２型枠１０ｂに当接する第１当接部１４と、第３型枠１０ｃに当接する第２当接部１５との双方の当接面が、第１型枠１０ａの下端部から上端部まで向かうに従って互いに離れるように延びており、かつ、上下方向に対して傾斜する方向に延びている。【選択図】図３
2020002705.tif 000002
【特許請求の範囲】
【請求項１】
コンクリートを打設して建物の基礎を形成するために用いられる型枠ユニットであって、
それぞれ隣り合うように配置され、水平方向において互いに当接している第１型枠及び第２型枠と、
前記第１型枠に対して前記第２型枠側とは反対側の位置に配置され、水平方向において前記第１型枠に当接している第３型枠と、を備え、
前記第１型枠において、前記第２型枠に当接する第１当接部と、前記第３型枠に当接する第２当接部とのうち一方の当接面が、前記第１型枠の下方から上方へ向かうに従って他方の当接面から離れるように傾斜して延びていることを特徴とする型枠ユニット。
【請求項２】
前記第１当接部と前記第２当接部との双方の当接面が、前記第１型枠の下端部から上端部まで向かうに従って互いに離れるように延びており、かつ、上下方向に対して傾斜する方向に延びていることを特徴とする請求項１に記載の型枠ユニット。
【請求項３】
前記第１型枠よりも上方に配置され、複数並べられた型枠の上面に沿って延びている延出部材と、
前記第１型枠と前記延出部材を連結し、前記第１型枠に対して前記延出部材の高さ位置を変更可能な状態で取り付けられる高さ調整部材と、
前記第１型枠と前記延出部材の上下方向の間に隙間を形成するために、前記延出部材と、前記第２型枠及び前記第３型枠それぞれとの間に配置される中間部材と、を備えていることを特徴とする請求項１又は２に記載の型枠ユニット。
【請求項４】
前記高さ調整部材は、前記第１型枠のうち前記第１当接部と前記第２当接部の間の中央位置に配置され、かつ、前記第２型枠及び前記第３型枠それぞれの上面に配置される前記中間部材の間の中央位置に配置されていることを特徴とする請求項３に記載の型枠ユニット。
【請求項５】
前記第１型枠のうち前記第１当接部に取り付けられ、前記第１型枠に対して前記第２型枠を着脱可能となるように連結する連結部材と、
該連結部材と接続され、前記第１型枠よりも上方位置において前記連結部材の連結状態を解除するために操作される操作部を有する連結解除部材と、を備えていることを特徴とする請求項１乃至４のいずれか１項に記載の型枠ユニット。
【請求項６】
前記連結解除部材は、長尺な弾性部材であって、
前記連結解除部材は、前記連結部材に対して取り付けられる末端部と、前記第１型枠よりも上方位置に張り出すように配置される先端部と、を有し、
前記操作部は、前記弾性部材のうち、前記第１型枠よりも上方位置に張り出した前記先端部側の位置に設けられていることを特徴とする請求項５に記載の型枠ユニット。
【発明の詳細な説明】
【技術分野】
【０００１】
本発明は、型枠ユニットに係り、特に、コンクリートを打設して建物の基礎を形成するために用いられる型枠ユニットに関する。
【背景技術】
【０００２】
従来、建物の基礎工事において型枠ユニットが用いられている。
主な基礎工事の流れとしては、まず基礎が形成される部分の地盤を根切りし、根切りされた地盤に対して地耐力を確保すべく砕石を敷き詰めて固める。そして、床下からの湿気防止のため防湿フィルムを敷き込むと共に、基礎外周部において捨てコンクリートを打設して基礎配筋用の墨出しを行った上で、配筋作業を実施する。そして、基礎の形状に合わせて型枠を組み、基礎のベース部分に対しコンクリートを打設した後、さらに基礎内部の立ち上がり部分の型枠を組み、当該立ち上がり部分に対しコンクリートを打設する（当該型枠を組む際には建物の基礎と土台を繋ぐアンカーボルトを合わせて設置する）。そして、コンクリートの十分な養生期間を経た後、組み立てられた型枠を取り外すこととなる。
上記基礎工事において、作業者による作業性の効率を上げるべく、型枠ユニットの形状、構成を工夫したものが知られている（例えば、特許文献１、２参照）。
【０００３】
特許文献１に記載の型枠ユニットでは、コンクリートを打設した後に型枠ユニットを容易に取り外すことを目的として、隣り合う型枠同士の当接面が斜めになるように型枠を組み立てる構成が開示されている。詳しく言うと、組み立てられた型枠同士を上面から見たときに、当該当接面が、従来は型枠の幅方向に沿って真っ直ぐに延びているところ、型枠の幅方向に対して傾斜する方向に沿って延びている。
上記構成により、当接面において摩擦を軽減することができ、組み立てられた型枠を当該型枠の幅方向外側へ引っ張ることで、当該型枠を容易に取り外すことができる。
【０００４】
特許文献２に記載の型枠の建て込み方法においても、隣り合う型枠同士が傾斜面を有し、互いの傾斜面を当接させて型枠全体を組み立てる構成が開示されており、組み立てられた型枠を幅方向の外側へ引っ張るときに打設コンクリートから剥離し易くしている。
【先行技術文献】
【特許文献】
【０００５】
【特許文献１】実開平８−２３６号公報
【特許文献２】特開平５−２９５８８７号公報
【発明の概要】
【発明が解決しようとする課題】
【０００６】
ところで、狭小地に建てられる狭小住宅のように、隣の建物との距離が例えば３０〜５０ｃｍ程度しかないような狭小地において建物を建築する場合には、作業者による基礎工事において型枠の取り外し作業が困難になることがある。
詳しく言うと、通常の作業者は、組み立てられた型枠を当該型枠の幅方向外側へ引っ張ることで、当該型枠を真横に倒して取り外しているところ、上記のような狭小地においては、作業者が型枠を真横に倒すことが可能なスペースが十分に確保できない場合が生じていた。
上記の場合には、特許文献１や特許文献２のような型枠ユニットをそのまま採用することができないため、作業者が現場レベルで特殊な工具や治具を別途使用する等して対応していた。
【０００７】
本発明は、上記の課題に鑑みてなされたものであり、本発明の目的は、隣の建物と接近して建築される建物の基礎工事の場合であっても、作業者の負担を軽減することが可能な型枠ユニットを提供することにある。
また、本発明の他の目的は、建物の基礎工事において組み立てられた型枠を容易に取り外すことが可能な型枠ユニットを提供することにある。
【課題を解決するための手段】
【０００８】
前記課題は、本発明の型枠ユニットによれば、コンクリートを打設して建物の基礎を形成するために用いられる型枠ユニットであって、それぞれ隣り合うように配置され、水平方向において互いに当接している第１型枠及び第２型枠と、前記第１型枠に対して前記第２型枠側とは反対側の位置に配置され、水平方向において前記第１型枠に当接している第３型枠と、を備え、前記第１型枠において、前記第２型枠に当接する第１当接部と、前記第３型枠に当接する第２当接部とのうち一方の当接面が、前記第１型枠の下方から上方へ向かうに従って他方の当接面から離れるように傾斜して延びていること、により解決される。
上記構成により、隣の建物と接近して建築される建物の基礎工事の場合であっても、作業者の負担を軽減することが可能な型枠ユニットを実現することができる。
詳しく説明すると、本発明の型枠ユニットであれば、作業者が第１型枠を上方へ引っ張って取り外すときに第１型枠にかかる摩擦を軽減することができ、第１型枠を容易に取り外すことができる。また、従来のように、作業者が第１型枠を真横に倒して取り外す必要がないため、狭小地において十分な幅スペースが確保できない場合であっても、作業者が型枠の取外し作業を効率良く実施することができる。
【０００９】
このとき、前記第１当接部と前記第２当接部との双方の当接面が、前記第１型枠の下端部から上端部まで向かうに従って互いに離れるように延びており、かつ、上下方向に対して傾斜する方向に延びていると良い。
上記構成により、作業者が第１型枠を上方へ引っ張って取り外すときに第１型枠にかかる摩擦を一層軽減することができ、第１型枠を一層容易に取り外すことができる。
【００１０】
このとき、前記第１型枠よりも上方に配置され、複数並べられた型枠の上面に沿って延びている延出部材と、前記第１型枠と前記延出部材を連結し、前記第１型枠に対して前記延出部材の高さ位置を変更可能な状態で取り付けられる高さ調整部材と、前記第１型枠と前記延出部材の上下方向の間に隙間を形成するために、前記延出部材と、前記第２型枠及び前記第３型枠それぞれとの間に配置される中間部材と、を備えていると良い。
また、前記高さ調整部材は、前記第１型枠のうち前記第１当接部と前記第２当接部の間の中央位置に配置され、かつ、前記第２型枠及び前記第３型枠それぞれの上面に配置される前記中間部材の間の中央位置に配置されていると良い。
上記構成により、第１型枠に対する延出部材の高さ位置を低くするように高さ調整部材を用いて調整することで、第２型枠及び第３型枠を支点として第１型枠に対し上方向の反力が生じるため、第１型枠が第２型枠及び第３型枠に対して浮き上がる又は浮き上がり易くなる。従って、作業者が高さ調整部材を利用しながら第１型枠を上方へ引っ張ることで、第１型枠を一層容易に取り外すことができる。
【００１１】
このとき、前記第１型枠のうち前記第１当接部に取り付けられ、前記第１型枠に対して前記第２型枠を着脱可能となるように連結する連結部材と、該連結部材と接続され、前記第１型枠よりも上方位置において前記連結部材の連結状態を解除するために操作される操作部を有する連結解除部材と、を備えていると良い。
また、前記連結解除部材は、長尺な弾性部材であって、前記連結解除部材は、前記連結部材に対して取り付けられる末端部と、前記第１型枠よりも上方位置に張り出すように配置される先端部と、を有し、前記操作部は、前記弾性部材のうち、前記第１型枠よりも上方位置に張り出した前記先端部側の位置に設けられていると良い。
上記構成により、型枠同士を連結部材で強固に連結することができるだけでなく、連結された型枠同士の連結状態を解除する際には、型枠よりも上方位置にある連結解除部材の操作部を操作すれば良いため、狭小地における建物の基礎工事においては、作業者による型枠取外し作業の効率性が格段に向上する。
【発明の効果】
【００１２】
本発明の型枠ユニットによれば、隣の建物と接近して建築される建物の基礎工事の場合であっても、作業者の負担を軽減することが可能となる。
また、建物の基礎工事において組み立てられた型枠を容易に取り外すことが可能となる。
【図面の簡単な説明】
【００１３】
【図１】本実施形態の型枠ユニットを用いた建物の基礎工事を示す図である。
【図２】組み付けられた型枠の正面図である。
【図３】組み付けられた型枠の背面図である。
【図４】型枠に取り付けられる連結部材、連結解除部材を示す要部拡大図である。
【図５】型枠に取り付けられる延出部材、高さ調整部材、中間部材を示す要部拡大図である。
【図６】型枠ユニットの第２実施形態である。
【図７】型枠ユニットの第３実施形態である。
【図８】型枠ユニットの第４実施形態である。
【発明を実施するための形態】
【００１４】
以下、本発明に係る実施形態について図１〜図８を参照して説明する。
本実施形態は、コンクリートを打設して建物の基礎を形成するために用いられる型枠ユニットであって、それぞれ隣り合うように配置され、水平方向において互いに当接している第１型枠及び第２型枠と、第１型枠に対して第２型枠側とは反対側の位置に配置され、水平方向において第１型枠に当接している第３型枠とを備え、第１型枠において第２型枠に当接する第１当接部と、第３型枠に当接する第２当接部との双方の当接面が、第１型枠の下端部から上端部まで向かうに従って互いに離れるように延びており、かつ、上下方向に対して傾斜する方向に延びていることを特徴とする発明に関するものである。
なお、基礎工事において型枠に対し打設コンクリートが当接する面を型枠の正面とする。
【００１５】
＜型枠ユニットを用いた建物の基礎工事＞
本実施形態の型枠ユニット１は、図１に示すように、基礎工事において、目的とする基礎の形状に沿って基礎（基礎となる空間）の幅方向の両側部分にそれぞれ対向するように設けられ、基礎の延出方向に沿って複数並ぶように組み立てられる型枠１０を備えている。
組み立てられた型枠１０の上面には、建物の基礎と土台を繋ぐ不図示のアンカーボルトの位置決めを行うために、これら型枠１０の上面に沿って複数並ぶようにアンカー定規２が組み付けられる。アンカー定規２は、型枠１０の並び方向において間隔を空けて配置されるアンカー固定ピン２ａによって型枠１０の上面に固定されている。
組み立てられた型枠１０の幅方向の外側面（背面）には、型枠１０を支持するための支保工として、上下方向に間隔を空けて配置され、型枠１０の延出方向に沿って延びる連結パイプ３がクリップ３ａを介して組み付けられる。
なお、型枠１０を支持するための支保工として、そのほか型枠１０を幅方向の外側から支持するサポート板４が設けられている。
【００１６】
上記構造において、建物の基礎となる部分に対しコンクリートを打設し、コンクリートの十分な養生期間を経た後、組み立てられた型枠１０を取り外すこととなる。
なお、型枠１０は、図１に示すように、建物の基礎のベース部分に対しコンクリートを打設する際に用いられるほか、基礎内部の立ち上がり部分にコンクリートを打設する際にも用いられる。
【００１７】
＜型枠ユニットの構成＞
型枠ユニット１は、上述した複数の型枠１０と、図３〜図４に示すように、隣り合う型枠１０同士を着脱可能となるように連結する連結部材２０と、連結部材２０と接続され、連結部材２０の連結状態を解除するための連結解除部材３０と、を備えている。
また型枠ユニット１は、図５に示すように、組み立てられた型枠１０を取り外すべく、型枠１０よりも上方に配置され、複数並べられた型枠１０の上面に沿って延びている延出部材４０と、所定の型枠１０及び延出部材４０を連結し、所定の型枠１０に対して延出部材４０の高さ位置を変更可能な状態で取り付けられる高さ調整部材５０と、所定の型枠１０の両隣にある型枠１０及び延出部材４０の間に配置される中間部材６０と、を備えている。
なお、型枠ユニット１は、図２に示すように、それぞれ隣り合うように配置され、水平方向において互いに当接している第１型枠１０ａ及び第２型枠１０ｂと、第１型枠１０ａに対して第２型枠１０ｂ側とは反対側の位置に配置され、水平方向において第１型枠１０ａに当接している第３型枠１０ｃと、を含む複数の型枠１０を備えている。
【００１８】
型枠１０は、上下方向に長尺な鋼製型枠であって、図２、図３に示すように、上下方向に延出し、基礎工事のときに打設コンクリートに当接する縦壁部１１と、縦壁部１１の上端及び下端からそれぞれ連続して屈曲し、型枠１０の幅方向の外側（背面側）に向かって延出する上壁部１２及び底壁部１３と、を備えている。
また型枠１０は、縦壁部１１の背面において縦壁部１１の水平方向の両端から張り出すようにそれぞれ設けられ、複数の型枠１０が並べられたときに隣り合う型枠１０にそれぞれ当接する第１当接部１４及び第２当接部１５と、縦壁部１１の背面から張り出すように設けられ、第１当接部１４及び第２当接部１５の間に配置される補強部１６を備えている。
【００１９】
型枠１０（縦壁部１１）の正面は、図２に示すように、第１型枠１０ａ、第２型枠１０ｂ及び第３型枠１０ｃが組み付けられたときに連続した平坦面を形成し、当該連続した平坦面が基礎工事において打設コンクリートに当接する当接面となっている。
また型枠１０の背面においては、図３に示すように、縦壁部１１、第１当接部１４、第２当接部１５及び補強部１６によって略蛇腹形状が形成されている。
なお、型枠１０は、例えば矩形状の金属板の縁全体を内側に折り曲げて形成した板状部材と、金属板を折り曲げて中空状に形成した複数の中空部材とを溶接等で組み付けることで製造することができる。
【００２０】
上壁部１２には、基礎工事のときにアンカー固定ピン２ａを締結させるための締結穴１２ａが形成されており、締結穴１２ａは、型枠１０の並び方向において所定の間隔を空けて複数形成されている。締結穴１２ａは、図５に示すように、型枠１０の取外し作業のときには高さ調整部材５０を締結させるための穴として利用される。
また上壁部１２のうち、型枠１０の並び方向において締結穴１２ａと異なる位置には、図３に示すように、連結解除部材３０を挿通させるための挿通穴１２ｂが形成されている。
【００２１】
第１当接部１４、第２当接部１５は、図３に示すように、それぞれ上下方向に長尺な断面略矩形状の中空部材からなり、縦壁部１１の背面に溶接等で固定されており、かつ、上壁部１２及び底壁部１３にそれぞれ当接し、当該当接した部分がそれぞれ溶接等で固定されている。
第１型枠１０ａにおいて第２型枠１０ｂに当接する第１当接部１４と、第３型枠１０ｃに当接する第２当接部１５との双方の当接面は、第１型枠１０ａの下端部から上端部まで向かうに従って互いに離れるように延びており、かつ、上下方向に対して傾斜する方向に延びている。
言い換えると、第１型枠１０ａは、図３に示すように、その上端部を下底とし、その下端部を上底とする略台形形状（略逆台形形状）を有する型枠部材となっている。
なお、当然ながら、第２型枠１０ｂにおいて第１型枠１０ａに当接する当接面は、第１型枠１０ａの第１当接部１４の当接面に沿って傾斜している。また、第３型枠１０ｃにおいて第１型枠１０ａに当接する当接面も同様に、第１型枠１０ａの第２当接部１５の当接面に沿って傾斜している。
【００２２】
補強部１６は、図３に示すように、上下方向に長尺な断面略凸形状の中空部材からなり、縦壁部１１の背面に溶接等で固定されており、かつ、上壁部１２及び底壁部１３にそれぞれ当接し、当該当接した部分がそれぞれ溶接等で固定されている。
第１型枠１０ａにおいては、補強部１６が、第１当接部１４及び第２当接部１５の間の中央部分に配置されている。
第２型枠１０ｂ及び第３型枠１０ｃにおいては、補強部１６が、第１型枠１０ａ側に近い位置に配置されている。
なお、これら型枠１０は、第２型枠１０ｂのように、断面略凸形状の補強部１６のほか、矩形板状の補強部１７をさらに備えていも良い。その場合、第２型枠１０ｂのように、補強部１６と補強部１７とが、所定の間隔を空けて配置されていると良い。
【００２３】
連結部材２０は、図３、図４に示すように、型枠１０の第１当接部１４及び第２当接部１５それぞれに取り付けられ、隣り合う型枠１０同士を連結するための連結金具であって、上下方向に所定の間隔を空けて複数取り付けられている。
具体的には、連結部材２０は、隣り合う型枠１０同士の当接部分にそれぞれ形成された不図示の挿通穴に挿通可能となるように設けられたベース軸部２１と、ベース軸部２１の表面から連続してベース軸部２１の軸方向とは交差する方向に延出し、型枠１０同士の当接部分を挟み込むように設けられたフック形状のクリップ部２２と、を有している。
連結部材２０は、ベース軸部２１を中心軸としてクリップ部２２を回転可能となるように構成されている。
そのため、連結部材２０は、クリップ部２２を回転移動させることで、型枠１０同士を連結した連結状態と、型枠１０同士の連結状態を解除した解除状態との間で切り替えることができる。
ベース軸部２１の一端部には、図４に示すように、連結解除部材３０が取り付けられている。
【００２４】
連結解除部材３０は、図４に示すように、長尺な弾性バンド（弾性部材）であって、連結部材２０の軸方向の一端部に取り付けられる末端部３１と、末端部３１から連続して上方へ延出し、型枠１０の上壁部１２に設けられた挿通穴１２ｂを通過して型枠１０よりも上方位置に張り出すように延びている先端部３２と、を有している。
また、連結解除部材３０は、型枠１０よりも上方位置に張り出した先端部３２側の位置において、連結部材２０の連結状態を解除するために操作される操作部３３を有している。
【００２５】
上記構成において、連結部材２０の連結状態を解除するためには、作業者が操作部３３を把持して連結解除部材３０を上下方向に揺らすことで、連結部材２０に振動が伝わり、当該振動に伴って連結部材２０のクリップ部２２が回転移動する。その結果、連結部材２０の連結状態が解除されることとなる。
そのため、特に狭小地における建物の基礎工事においては、作業者による型枠取外し作業の効率性が格段に向上する。
【００２６】
延出部材４０は、図５に示すように、断面略Ｌ字形状の長尺な板状部材であって、型枠１０（第１型枠１０ａ）の上壁部１２に対して高さ調整部材５０を介して組み付けられている。
また延出部材４０は、第１型枠１０ａの両隣にある第２型枠１０ｂ及び第３型枠１０ｃそれぞれの上面に載置された矩形板状の中間部材６０によって下方から支持されている。
高さ調整部材５０は、第１型枠１０ａの上壁部１２に設けられた締結穴１２ａを通じて下方から組み付けられる固定ボルト５１と、固定ボルト５１の軸部分に対して螺合される高さ調整ナット５２と、を有している。
高さ調整部材５０は、上下方向において第１型枠１０ａの上壁部１２及び延出部材４０を挟み込むように設けられており、高さ調整ナット５２の螺合位置を調整することで、延出部材４０の高さ位置を変更可能となるように構成されている。
なお、高さ調整部材５０は、第１型枠１０ａのうち第１当接部１４と第２当接部１５の間の中央位置に配置され、かつ、第２型枠１０ｂ及び第３型枠１０ｃそれぞれの上面に配置される中間部材６０の間の中央位置に配置されている。
【００２７】
上記構成において、第１型枠１０ａに対する延出部材４０の高さ位置を低くするように高さ調整ナット５２の螺合位置を調整することで、第２型枠１０ｂ及び第３型枠１０ｃ上の中間部材６０を支点として第１型枠１０ａに対し上方向の反力が生じることになる。
その結果、第１型枠１０ａが第２型枠１０ｂ及び第３型枠１０ｃに対して浮き上がる又は浮き上がり易くなる。
従って、作業者が高さ調整部材５０を利用しながら第１型枠１０ａを上方へ引っ張ることで、第１型枠１０ａを一層容易に取り外すことが可能となる。
【００２８】
＜型枠ユニットの第２実施形態＞
次に、型枠ユニットの第２実施形態について、図６に基づいて説明する。
なお、上述した型枠ユニット１と重複する内容は説明を省略する。
第２実施形態に係る型枠ユニット１００では、型枠ユニット１と比較して、それぞれ隣り合う第１型枠１１０ａ、第２型枠１１０ｂ及び第３型枠１１０ｃの形状がそれぞれ異なっている。
【００２９】
具体的には、第１型枠１１０ａ及び第３型枠１１０ｃがそれぞれ略台形形状、第２型枠１１０ｂが略矩形状となるように形成されている。
すなわち、第１型枠１１０ａにおいて第３型枠１１０ｃに当接する第２当接部１１５の当接面が、第１型枠１１０ａの下端から上端まで向かうに従って、第２型枠１１０ｂに当接する第２当接部１１５の当接面から離れるように延びており、かつ、上下方向に対して傾斜する方向に延びている。
一方で、第１当接部１１４の当接面は、上下方向に沿って真っ直ぐに延びており、言い換えれば、第２当接部１１５の当接面から離れるように延びておらず、かつ、近づくようにも延びていない。
【００３０】
上記構成であっても、作業者が第１型枠１１０ａを上方へ引っ張って取り外すときに第１型枠１１０ａにかかる摩擦を軽減することができ、第１型枠１１０ａを容易に取り外すことができる。
【００３１】
＜型枠ユニットの第３実施形態＞
次に、型枠ユニットの第３実施形態について、図７に基づいて説明する。
第３実施形態に係る型枠ユニット２００では、第１型枠２１０ａが略椀型形状となるように形成されている。
すなわち、第１型枠２１０ａにおける第１当接部２１４、第２当接部２１５それぞれの当接面が、まず第１型枠２１０ａの下端から上下方向の所定位置まで向かうに従って互いに離れるように延びており、かつ上下方向に対して傾斜する方向に延びている。
そして、第１当接部２１４、第２当接部２１５それぞれの当接面が、第１型枠２１０ａの上記所定位置から上端まで向かうに従って、丸みを帯びた形状を形成するように互いに離れて延びている（緩やかな傾斜となるように延びている）。
上記構成であっても、作業者が第１型枠２１０ａを上方へ引っ張って取り外すときに、第１型枠２１０ａを容易に取り外すことができる。
【００３２】
＜型枠ユニットの第４実施形態＞
次に、型枠ユニットの第４実施形態について、図８に基づいて説明する。
第４実施形態に係る型枠ユニット３００では、第１型枠３１０ａが略ネジ型形状となるように形成されている。
すなわち、第１型枠３１０ａにおける第１当接部３１４、第２当接部３１５それぞれの当接面が、まず第１型枠３１０ａの下端から上下方向の所定位置（第１位置３１４ａ，３１５ａ）まで向かうに従って互いに離れるように延びており、かつ上下方向に対して傾斜する方向に延びている。
そして、第１当接部３１４、第２当接部３１５それぞれの当接面が、第１型枠３１０ａの第１位置３１４ａ，３１５ａから、第１位置３１４ａ，３１５ａよりも上方にある第２位置３１４ｂ，３１５ｂまで上下方向に沿って真っ直ぐに延びており、言い換えれば、互いに離れるように延びておらず、かつ、近づくようにも延びていない。
そして、第１当接部３１４、第２当接部３１５それぞれの当接面が、第１型枠３１０ａの第２位置３１４ｂ，３１５ｂから上端まで向かうに従って、再び互いに離れるように延びており、かつ上下方向に対して傾斜する方向に延びている。
上記構成であっても、作業者が第１型枠３１０ａを上方へ引っ張って取り外すときに、第１型枠３１０ａを容易に取り外すことができる。
【００３３】
＜その他の実施形態＞
上記実施形態では、型枠１０が鋼製の型枠としているが、特に限定されるものではなく、木製の型枠や樹脂製の型枠等であっても良い。
【００３４】
上記実施形態では、隣り合う型枠１０同士の形状（特に当接面の形状）について第１実施形態から第４実施形態まで説明したが、これら実施形態以外にも種々の形状を採用することが可能である。
すなわち、所定の型枠１０（第１型枠１０ａ）において所定の型枠１０の両隣りにある型枠１０（第２型枠１０ｂ、第３型枠１０ｃ）それぞれに当接する第１当接部１４と、第２当接部１５とのうち一方の当接面が、所定の型枠１０（第１型枠１０ａ）の下方から上方へ向かうに従って他方の当接面から離れるように傾斜して延びている構成を有していれば、型枠１０の当接面について種々の形状を採用することが可能である。
なお、上記の構成（当接面が傾斜して延びている構成）には、図７のように当接面が湾曲して延びている構成や、図８に示すように当接面の一部が上下方向に沿って真っ直ぐに延びている構成も含まれる。また、当接面の一部が水平方向に沿って延びている構成も含まれるものである。
【００３５】
上記実施形態では、主として本発明に係る型枠ユニットに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、それぞれ隣り合う型枠同士の当接面の形状について、上記の実施形態にて説明したものは、あくまで一例に過ぎず本発明を限定するものではない。
【符号の説明】
【００３６】
１，１００，２００，３００  型枠ユニット
２  アンカー定規
２ａ  アンカー固定ピン
３  連結パイプ
３ａ  クリップ
４  サポート板
１０  型枠
１０ａ，１１０ａ，２１０ａ，３１０ａ  第１型枠
１０ｂ，１１０ｂ，２１０ｂ，３１０ｂ  第２型枠
１０ｃ，１１０ｃ，２１０ｃ，３１０ｃ  第３型枠
１１  縦壁部
１２  上壁部
１２ａ  締結穴
１２ｂ  挿通穴
１３  底壁部
１４，１１４，２１４，３１４  第１当接部
１５，１１５，２１５，３１５  第２当接部
１６，１７  補強部
２０  連結部材（連結金具）
２１  ベース軸部
２２  クリップ部
３０  連結解除部材（弾性バンド）
３１  末端部
３２  先端部
３３  操作部
４０  延出部材
５０  高さ調整部材
５１  固定ボルト
５２  高さ調整ナット
６０  中間部材
３１４ａ，３１５ａ  第１位置
３１４ｂ，３１５ｂ  第２位置
【図１】
2020002705.tif 000003
【図２】
2020002705.tif 000004
【図３】
2020002705.tif 000005
【図４】
2020002705.tif 000006
【図５】
2020002705.tif 000007
【図６】
2020002705.tif 000008
【図７】
2020002705.tif 000009
【図８】
2020002705.tif 000010